(57)【要約】【課題】製造コストを低減することができる電源装置および電力供給方法を提供する。【解決手段】実施形態の一態様に係る電源装置は、複数のキャパシタと、並列接続手段と、直列接続手段とを備える。複数のキャパシタは、電源から電子機器へ電力を供給する。並列接続手段は、複数のキャパシタを充電する場合に、複数のキャパシタを並列に接続する。直列接続手段は、複数のキャパシタを放電する場合に、複数のキャパシタを直列に接続する。【選択図】図１
2016046993.tif 000002
【特許請求の範囲】
【請求項１】
電源から電子機器へ電力を供給する複数のキャパシタと、
前記複数のキャパシタを充電する場合に、前記複数のキャパシタを並列に接続する並列接続手段と、
前記複数のキャパシタを放電する場合に、前記複数のキャパシタを直列に接続する直列接続手段と
を備えることを特徴とする電源装置。
【請求項２】
前記並列接続手段は、
前記電源の出力電圧が所定電圧以上の場合に、前記複数のキャパシタを並列に接続する
ことを特徴とする請求項１に記載の電源装置。
【請求項３】
前記直列接続手段は、
前記電源の出力電圧が所定電圧未満の場合に、前記複数のキャパシタを直列に接続する
ことを特徴とする請求項１または請求項２に記載の電源装置。
【請求項４】
前記直列接続手段は、
一対の前記キャパシタを直列に接続するトランジスタであり、当該トランジスタのゲートには、当該トランジスタのソースに負極が接続される前記キャパシタの正極から電圧が印加される
ことを特徴とする請求項１〜３のいずれか一つに記載の電源装置。
【請求項５】
前記ゲートへ印加する電圧を維持する電圧維持手段
を備えることを特徴とする請求項４に記載の電源装置。
【請求項６】
電源から電子機器へ電力を供給する複数のキャパシタを充電する場合に、並列接続手段によって前記複数のキャパシタを並列に接続することと、
前記複数のキャパシタを放電する場合に、直列接続手段によって前記複数のキャパシタを直列に接続することと
を含むことを特徴とする電力供給方法。
【発明の詳細な説明】
【技術分野】
【０００１】
開示の実施形態は、電源装置および電力供給方法に関する。
【背景技術】
【０００２】
従来、電源とは別に電源補償用のキャパシタを備え、電源からの供給電力が不足した場合に、キャパシタから電子機器へ電力を供給することによって電源を補償する電源装置がある。また、電源装置では、電解コンデンサなどの他のキャパシタに比べて充電速度が速く容量が大きいことから、電源補償用のキャパシタとして電気二重層キャパシタが用いられることがある。
【０００３】
ただし、電気二重層キャパシタは、耐圧が２．５Ｖ程度と比較的低い。このため、電源装置は、２．５Ｖを超える電源を補償する場合には、複数個の電気二重層キャパシタを直列に接続して充放電を行う必要がある。
【０００４】
かかる電源装置では、直列に接続された電気二重層キャパシタ間に容量のバラツキが生じることがある。電源装置では、かかる容量のバラツキが大きい場合に充電を行うと、容量が小さな電気二重層キャパシタに耐圧を超える電圧が印加されることがある。
【０００５】
このため、直列に接続される各電気二重層キャパシタに均等な電圧が印加されるように、各電気二重層キャパシタの充電電圧を制御（バランシング）するＩＣ（Integrated  Circuit）が設けられた電源装置がある（例えば、特許文献１参照）。
【先行技術文献】
【特許文献】
【０００６】
【特許文献１】特開２０１３−２５８８２８号公報
【発明の概要】
【発明が解決しようとする課題】
【０００７】
しかしながら、各キャパシタの充電電圧をバランシングするＩＣは高価である。このため、各キャパシタの充電電圧をバランシングするＩＣを備える電源装置は、製造コストが割高となる。
【０００８】
実施形態の一態様は、上記に鑑みてなされたものであって、製造コストを低減することができる電源装置および電力供給方法を提供することを目的とする。
【課題を解決するための手段】
【０００９】
実施形態の一態様に係る電源装置は、複数のキャパシタと、並列接続手段と、直列接続手段とを備える。複数のキャパシタは、電源から電子機器へ電力を供給する。並列接続手段は、前記複数のキャパシタを充電する場合に、前記複数のキャパシタを並列に接続する。直列接続手段は、前記複数のキャパシタを放電する場合に、前記複数のキャパシタを直列に接続する。
【発明の効果】
【００１０】
実施形態の一態様によれば、製造コストを低減することができる電源装置および電力供給方法を提供することができる。
【図面の簡単な説明】
【００１１】
【図１】図１は、第１実施形態に係る電源装置の構成を示す説明図である。
【図２】図２は、第１実施形態に係る電源装置の充電時における電流の流れを示す説明図である。
【図３】図３は、第１実施形態に係る電源装置の充電時における等価回路である。
【図４】図４は、第１実施形態に係る電源装置の放電時における電流の流れを示す説明図である。
【図５】図５は、第１実施形態に係る電源装置の放電時における等価回路である。
【図６】図６は、第２実施形態に係る電源装置の構成を示す説明図である。
【図７】図７は、第２実施形態に係る電源装置の充電時における電流の流れを示す説明図である。
【図８】図８は、第２実施形態に係る電源装置の放電時における電流の流れを示す説明図である。
【発明を実施するための形態】
【００１２】
以下、添付図面を参照して、本願の開示する電源装置および電力供給方法の実施形態を詳細に説明する。なお、以下に示す実施形態によりこの発明が限定されるものではない。
【００１３】
（第１実施形態）
図１は、第１実施形態に係る電源装置１の構成を示す説明図である。また、図２は、第１実施形態に係る電源装置１の充電時における電流の流れを示す説明図であり、図３は、第１実施形態に係る電源装置１の充電時における等価回路である。
【００１４】
また、図４は、第１実施形態に係る電源装置１の放電時における電流の流れを示す説明図であり、図５は、第１実施形態に係る電源装置１の放電時における等価回路である。なお、以下の説明では、図２〜図５に示す構成要素のうち、図１に示す構成要素と同一の構成要素については、図１に示す符号と同一の符号を付することにより、その説明を省略する。
【００１５】
ここでは、車両に搭載される電源装置１を例に挙げて説明するが、実施形態に係る電源装置１は、車両以外に搭載されてもよい。図１に示すように、電源装置１は、車両に搭載される電源２と電子機器４との間に接続される。電源２は、例えば、車載バッテリである。また、電子機器４は、例えば、カーナビゲーション機能を備えたカーオーディオ装置である。
【００１６】
電源装置１０は、電源２から入力される電力を電子機器４へ出力し、例えば、車両のクランキングや瞬断などによって電源２の出力電圧が低下した場合に、電源２からの供給電力が不足した電子機器４へ電力を供給して電源を補償する装置である。
【００１７】
かかる電源装置１は、電源２からの供給電力が不足した電子機器４へ電力を供給する複数（ここでは、３個）のキャパシタＣ１，Ｃ２，Ｃ３を備える。なお、キャパシタの個数は、２個であってもよく、４個以上であってもよい。
【００１８】
ここでは、各キャパシタＣ１，Ｃ２，Ｃ３が耐圧２．５Ｖの電気二重層キャパシタ（ＥＤＬＣ：Electric  Double  Layer  Capacitor）である場合について説明するが、キャパシタＣ１，Ｃ２，Ｃ３は、ＥＤＬＣ以外であってもよい。また、ここでは、電子機器４の正常動作に必要な電圧が７．５Ｖの場合を例に挙げて説明する。
【００１９】
電源装置１は、キャパシタＣ１，Ｃ２，Ｃ３を充電する場合に、キャパシタＣ１，Ｃ２，Ｃ３を並列に接続する並列接続手段と、キャパシタＣ１，Ｃ２，Ｃ３を放電する場合に、キャパシタＣ１，Ｃ２，Ｃ３を直列に接続する直列接続手段とを備える。
【００２０】
具体的には、電源装置１は、並列接続手段として機能する４個の並列用トランジスタ１１，１２，１３，１４と、直列接続手段として機能する２個の直列用トランジスタ２１，２２とを備える。これらの並列用トランジスタ１１，１２，１３，１４直列用トランジスタ２１，２２は、例えば、ＮチャネルＭＯＳＦＥＴ（Metal  Oxide  Semiconductor  Field  Effect  Transistor）である。
【００２１】
さらに、電源装置１は、ＤＣ／ＤＣコンバータ３、入力端子５、ＮＯＴゲート６、およびダイオード７を備える。なお、ダイオード７は、電源装置１内部の各素子を逆流電流から保護するための整流素子である。
【００２２】
ＤＣ／ＤＣコンバータ３は、入力が電源２に接続され、出力が並列用トランジスタ１３およびダイオード７を介して電子機器４に接続される。また、ＤＣ／ＤＣコンバータ３の出力は、キャパシタＣ１を介してグラントにも接続される。かかるＤＣ／ＤＣコンバータ３は、例えば、電源２から入力される１２Ｖの直流電圧を２．５Ｖの直流電圧へ変換して出力する。
【００２３】
キャパシタＣ１は、正極がＤＣ／ＤＣコンバータ３の出力に接続され、負極がグランドに接続される。キャパシタＣ２は、正極が並列用トランジスタ１１を介してＤＣ／ＤＣコンバータ３の出力に接続され、負極が並列用トランジスタ１２を介してグランドに接続される。キャパシタＣ３は、正極が並列用トランジスタ１３を介してＤＣ／ＤＣコンバータ３の出力に接続され、負極が並列用トランジスタ１４を介してグランドに接続される。
【００２４】
また、キャパシタＣ１の正極は、直列用トランジスタ２１を介してキャパシタＣ２の負極に接続される。また、キャパシタＣ２の正極は、直列用トランジスタ２２を介してキャパシタＣ３の負極に接続される。また、キャパシタＣ３の正極は、ダイオード７を介して電子機器４に接続される。
【００２５】
並列用トランジスタ１１は、ソースがＤＣ／ＤＣコンバータ３の出力に接続され、ドレインがキャパシタＣ２の正極に接続され、ゲートが入力端子５に接続される。並列用トランジスタ１２は、ソースがグランドに接続され、ドレインがキャパシタＣ２の負極に接続され、ゲートが入力端子５に接続される。
【００２６】
並列用トランジスタ１３は、ソースがＤＣ／ＤＣコンバータ３の出力に接続され、ドレインがキャパシタＣ３の正極に接続され、ゲートが入力端子５に接続される。並列用トランジスタ１４は、ソースがグランドに接続され、ドレインがキャパシタＣ３の負極に接続され、ゲートが入力端子５に接続される。
【００２７】
また、直列用トランジスタ２１は、ソースがキャパシタＣ２の負極に接続され、ドレインがキャパシタＣ１の正極に接続され、ゲートがＮＯＴゲート６の出力に接続される。直列用トランジスタ２２は、ソースがキャパシタＣ３の負極に接続され、ドレインがキャパシタＣ２の正極に接続され、ゲートがＮＯＴゲートの出力に接続される。
【００２８】
入力端子５には、電源検知信号が入力される。電源検知信号は、例えば、電源２の出力電圧が所定電圧以上の場合にハイレベルとなり、電源２の出力電圧が所定電圧未満の場合にローレベルとなる信号である。ＮＯＴゲート６は、入力される電圧検知信号がハイレベルの場合に、ローレベルの信号を出力し、入力される電圧検知信号がローレベルの場合に、ハイレベルの信号を出力する。
【００２９】
したがって、電源装置１では、入力端子５にハイレベルの電源検知信号が入力される場合、つまり、電源２が十分な出力電圧を出力している場合に、並列接続手段である並列用トランジスタ１１，１２，１３，１４がオンとなり、キャパシタＣ１，Ｃ２，Ｃ３が並列に接続される。
【００３０】
これにより、電源装置１では、図２に太線によって示す経路に電流が流れる。具体的には、ＤＣ／ＤＣコンバータ３からキャパシタＣ１を経由してグランドへ至る経路に電流が流れる。また、ＤＣ／ＤＣコンバータ３から並列用トランジスタ１１、キャパシタＣ２、および並列用トランジスタ１２を経由してグランドに至る経路に電流が流れる。また、ＤＣ／ＤＣコンバータ３から並列用トランジスタ１３、キャパシタＣ３、および並列用トランジスタ１４を経由してグランドへ至る経路に電流が流れる。
【００３１】
かかる場合の電源装置１では、図３に示すように、ＤＣ／ＤＣコンバータ３とグランドとの間に、並列接続されたキャパシタＣ１，Ｃ２，Ｃ３が接続された状態となる。ここで、前述したように、ＤＣ／ＤＣコンバータ３は、２．５Ｖの直流電圧を出力する。
【００３２】
このため、各キャパシタＣ１，Ｃ２，Ｃ３には、均等に２．５Ｖの電圧が印加される。これにより、電源装置１では、各キャパシタＣ１，Ｃ２，Ｃ３の容量にバラツキがある場合であっても、各キャパシタＣ１，Ｃ２，Ｃ３に耐圧の２．５Ｖを超える電圧が印加されることを防止しつつ、各キャパシタＣ１，Ｃ２，Ｃ３の充電を行うことができる。
【００３３】
したがって、電源装置１によれば、各キャパシタＣ１，Ｃ２，Ｃ３の充電電圧をバランシングするコストが割高なＩＣを設けずに、各キャパシタＣ１，Ｃ２，Ｃ３に耐圧以下の均等な電圧を印加することができるので、製造コストを低減することができる。
【００３４】
一方、電源装置１では、入力端子５にローレベルの電源検知信号が入力される場合、つまり、電源２が所定電圧未満の出力電圧を出力している場合に、直列接続手段である直列用トランジスタ２１，２２がオンとなり、キャパシタＣ１，Ｃ２，Ｃ３が直列に接続される。
【００３５】
これにより、電源装置１では、図４に太線によって示す経路に電流が流れる。具体的には、キャパシタＣ１、直列用トランジスタ２１、キャパシタＣ２、直列用トランジスタ２２、キャパシタＣ３、およびダイオード７を経由して電子機器４へ至る経路に電流が流れる。
【００３６】
かかる場合の電源装置１では、図５に示すように、グランド４と電子機器との間に、直列接続されたキャパシタＣ１，Ｃ２，Ｃ３が接続された状態となる。ここで、前述したように、各キャパシタＣ１，Ｃ２，Ｃ３は、直列に接続される前、つまり、並列に接続されていた状態において、それぞれ２．５Ｖの電圧によって充電される。
【００３７】
このため、電源装置１では、並列に接続されて充電されたキャパシタＣ１，Ｃ２，Ｃ３を直列に接続した場合、グランドとキャパシタＣ３の正極との間には、２．５Ｖの３倍、つまり、７．５Ｖの電位差を発生させることができる。
【００３８】
したがって、電源装置１は、電源２の出力電圧が所定電圧未満になった場合に、電子機器４の正常動作に必要な７．５Ｖの電圧を電子機器４へ供給することによって、電子機器４の電源を補償することができる。
【００３９】
また、電源装置１によれば、並列接続と直列接続とを切り替え可能な電源補償用のキャパシタをさらに増設することによって、電源２の出力電圧よりも高い電圧を補償することができる。つまり、電源装置１によれば、電源２の出力電圧を昇圧する複雑な昇圧回路を設けることなく、キャパシタの段数を増すという簡易な回路変更によって、電源２の出力電圧よりも高い電圧を補償することができる。
【００４０】
上述したように、第１実施形態に係る電源装置は、電源からの供給電力が不足した電子機器へ電力を供給する複数のキャパシタと、複数のキャパシタを充電する場合に、複数のキャパシタを並列に接続する並列接続手段と、複数のキャパシタを放電する場合に、複数のキャパシタを直列に接続する直列接続手段とを備える。
【００４１】
これにより、電源装置は、複数のキャパシタを並列接続することによって、各キャパシタの充電電圧をバランシングするＩＣを設けることなく、各キャパシタを均等な充電電圧によって充電することができるので、製造コストを低減することができる。
【００４２】
また、第１実施形態に係る並列接続手段は、電源の出力電圧が所定電圧以上の場合に、複数のキャパシタを並列に接続して充電を行うので、各キャパシタに十分な電力を充電することができる。
【００４３】
しかも、電源装置は、バランシングＩＣを備える場合、電子機器の非起動時にも制御を行うため暗電流が発生するが、第１実施形態に係る電源装置は、バランシングＩＣが不要であるため、バランシングＩＣを備える電源装置に比べて、暗電流を低減することができる。
【００４４】
また、第１実施形態に係る直列接続手段は、電源の出力電圧が所定電圧未満の場合に、複数のキャパシタを直列に接続して放電させるので、構成が複雑で高価な昇圧回路を設けることなく、簡易で安価な回路構成によって、充電電圧よりも高い電圧まで放電電圧を昇圧してキャパシタを放電させることができる。
【００４５】
また、第１実施形態に係る電源装置は、安価な汎用のディスクリート部品（単機能素子）の組み合わせによって製造することが可能であるため、これによっても製造コストを低減することができる。
【００４６】
また、第１実施形態に係る電源装置は、各キャパシタの充電電圧のバランスをとる必要がないため、大電流での高速充電が可能である。
【００４７】
（第２実施形態）
次に、図６〜図８を参照し、第２実施形態に係る電源装置について説明する。図６は、第２実施形態に係る電源装置１０の構成を示す説明図である。また、図７は、第２実施形態に係る電源装置１０の充電時における電流の流れを示す説明図であり、図８は、第２実施形態に係る電源装置１０の放電時における電流の流れを示す説明図である。
【００４８】
なお、以下では、図６〜図８に示す構成要素のうち、図１に示す構成要素と同一の構成要素については、図１に示す符号と同一の符号を付することにより、その説明を省略する。図６に示すように、電源装置１０は、図１に示す電源装置１と同様に、キャパシタＣ１，Ｃ２，Ｃ３を充電する場合に、キャパシタＣ１，Ｃ２，Ｃ３を並列に接続し、放電する場合に、キャパシタＣ１，Ｃ２，Ｃ３を直列に接続する構成を備える。
【００４９】
かかる構成に加えて、電源装置１０は、キャパシタＣ１，Ｃ２，Ｃ３を放電する場合に、キャパシタＣ２の正極から直列用トランジスタ２１のゲートへ電圧を印加し、キャパシタＣ３の正極から直列用トランジスタ２２のゲートへ電圧を印加する構成を備える。
【００５０】
具体的には、キャパシタＣ２の正極と直列用トランジスタ２１のゲートとは、ダイオード７２および抵抗Ｒ２を介して接続される。また、キャパシタＣ３の正極と直列用トランジスタ２２のゲートとは、ダイオード７３および抵抗Ｒ３を介して接続される。
【００５１】
さらに、電源装置１０は、キャパシタＣ２の正極から直列用トランジスタ２１のゲートへ印加される電圧を維持するキャパシタＣ４と、キャパシタＣ３の正極から直列用トランジスタ２２のゲートへ印加される電圧を維持するキャパシタＣ５とを備える。
【００５２】
キャパシタＣ４は、正極が直列用トランジスタ２１のゲートおよび抵抗Ｒ２に接続され、負極がグランドに接続される。キャパシタＣ５は、正極が直列用トランジスタ２２のゲートおよび抵抗Ｒ３に接続され、負極がグランドに接続される。これらの構成をさらに設けたことによる作用効果については、図８を参照して後述する。
【００５３】
なお、電源装置１０では、並列用トランジスタ１１，１３のゲートが抵抗Ｒ１を介して電源２の出力に接続される点が図１に示すものとは異なるが、並列用トランジスタ１１，１３は、図１に示すものと同様に、電源２の出力電圧が所定電圧以上になるとオンになる。
【００５４】
また、電源装置１０は、トランジスタ３１，３２，３３，３４，３５を備える点が図１に示すものとは異なるが、基本的には図１に示すものと同様の動作によってキャパシタＣ１，Ｃ２，Ｃ３の充放電を行う。
【００５５】
なお、トランジスタ３１は、Ｐチャネル・バイポーラトランジスタであり、ベースが入力端子５に接続され、コレクタが電源電圧線Ｖｃｃに接続され、エミッタが抵抗Ｒ４を介してグランドに接続される。かかるトランジスタ３１は、入力端子５に入力される電圧検知信号がローレベルの場合にオンし、ハイレベルの場合にオフする。つまり、トランジスタ３１は、図１に示すＮＯＴゲート６と同様の動作を行う。
【００５６】
また、トランジスタ３２，３３，３４，３５は、Ｎチャネル・バイポーラトランジスタである。トランジスタ３２は、ベースがトランジスタ３１のコレクタに接続され、コレクタが並列用トランジスタ１１のゲートに接続され、エミッタがグランドに接続される。トランジスタ３３は、ベースが入力端子５に接続され、コレクタが直列用トランジスタ２１のゲートに接続され、エミッタがグランドに接続される。
【００５７】
トランジスタ３４は、ベースがトランジスタ３１のコレクタに接続され、コレクタが並列用トランジスタ１３のゲートに接続され、エミッタがグランドに接続される。トランジスタ３５は、ベースが入力端子５に接続され、コレクタが直列用トランジスタ２２のゲートに接続され、エミッタがグランドに接続される。
【００５８】
そして、電源装置１０は、入力端子５に入力される電圧検知信号がハイレベルの場合に、キャパシタＣ１，Ｃ２，Ｃ３を並列に接続して充電を行う。具体的には、電源装置１０では、図７に一点鎖線矢印で示すように、入力端子５からトランジスタ３３，３５のベースに電圧検知信号が入力され、並列用トランジスタ１２，１４のゲートにも電圧検知信号が入力される。
【００５９】
これにより、トランジスタ３３，３５がオンになり、直列用トランジスタ２１，２２は、ゲートとグランドとが接続されてオフになる。また、並列用トランジスタ１２，１４は、オンになりゲートとグランドとが接続される。また、電源装置１０では、図７に二点鎖線矢印で示すように、電源２から並列用トランジスタ１１，１３に電圧が印加されて並列用トランジスタ１１，１３がオンになる。
【００６０】
これにより、電源装置１０では、キャパシタＣ１，Ｃ２，Ｃ３が並列に接続され、図７に太線で示す経路に電流が流れてキャパシタＣ１，Ｃ２，Ｃ３が充電される。ここで、前述したように、ＤＣ／ＤＣコンバータ３は、各キャパシタＣ１，Ｃ２，Ｃ３の耐圧である２．５Ｖの電圧を出力する。これにより、各キャパシタＣ１，Ｃ２，Ｃ３の正極の電圧は、均等に２．５Ｖとなる。
【００６１】
その後、電源装置１０は、入力端子５に入力される電圧検知信号がローレベルになると、キャパシタＣ１，Ｃ２，Ｃ３を直列に接続して放電を行う。具体的には、電源装置１０では、図８に一点鎖線矢印で示すように、トランジスタ３１がオンになり、トランジスタ３１のコレクタからトランジスタ３２，３４のベースに電圧が印加される。これにより、並列用トランジスタ１１，１３は、ゲートがグランドに接続されてオフになる。
【００６２】
また、電源装置１０では、入力端子５から並列用トランジスタ１２，１４、トランジスタ３３，３５に入力される電圧検知信号がハイレベルからローレベルになるので、並列用トランジスタ１２，１４、トランジスタ３３，３５がオフとなる。
【００６３】
そして、電源装置１０では、図８に点線矢印で示すように、キャパシタＣ２の正極から直列用トランジスタ２１のゲートに電圧が印加されて直列用トランジスタ２１がオンになり、一対のキャパシタＣ１，Ｃ２が直列に接続される。
【００６４】
また、電源装置１０では、図８に点線矢印で示すように、キャパシタＣ３の正極から直列用トランジスタ２２のゲートに電圧が印加されて直列用トランジスタ２２がオンになり、一対のキャパシタＣ２，Ｃ３が直列に接続される。
【００６５】
これにより、電源装置１０では、キャパシタＣ１，Ｃ２，Ｃ３が直列に接続され、図８に太線で示す経路に電流が流れてキャパシタＣ１，Ｃ２，Ｃ３が放電し、キャパシタＣ３からダイオード７１を介して、７．５Ｖの電圧が電子機器４へ供給される。
【００６６】
このとき、図８に点線矢印で示すように、キャパシタＣ２の正極からキャパシタＣ４の正極にも電圧が印加される。ここで、直列接続後のキャパシタＣ２の正極の電位は、各正極の電位が２．５ＶのキャパシタＣ１，Ｃ２が直列に接続されるので、５Ｖになる。かかる５Ｖの電圧は、キャパシタＣ４に充電される。これにより、直列用トランジスタ２１のゲートの電位は、キャパシタＣ１，Ｃ２の放電が完了するまで５Ｖに維持される。
【００６７】
また、図８に点線矢印で示すように、キャパシタＣ３の正極からキャパシタＣ５の正極にも電圧が印加される。ここで、直列接続後のキャパシタＣ３の正極の電位は、正極の電位が５ＶのキャパシタＣ２と、正極の電位が２．５ＶのキャパシタＣ３とが直列に接続されるので、７．５Ｖになる。かかる７．５Ｖの電圧は、キャパシタＣ５に充電される。
【００６８】
これにより、直列用トランジスタ２２のゲートの電位は、キャパシタＣ２，Ｃ３の放電が完了するまで７．５Ｖに維持される。このように、電源装置１０によれば、キャパシタＣ１，Ｃ２，Ｃ３の放電が完了するまで、キャパシタＣ１，Ｃ２，Ｃ３の直列接続状態を維持させることができる。
【００６９】
上述したように、第２実施形態に係る直列接続手段は、一対のキャパシタを直列に接続するトランジスタであり、このトランジスタのゲートには、このトランジスタのソースに負極が接続されるキャパシタの正極から電圧が印加される。これにより、第２実施形態に係る電源装置では、複数のキャパシタを並列接続から直列接続へ切り替えるための特別なドライバが不要であり、これによって製造コストをさらに低減することができる。
【００７０】
また、第２実施形態に係る電源装置は、一対のキャパシタを直列に接続するトランジスタのゲートへ印加する電圧を維持する電圧維持手段を備える。これにより、第２実施形態に係る電源装置は、各キャパシタの放電が完了するまで、複数のキャパシタを直列接続状態に維持することができる。したがって、第２実施形態に係る電源装置によれば、電子機器の電源をより確実に補償することができる。
【符号の説明】
【００７１】
１，１０  電源装置
２  電源
３  ＤＣ／ＤＣコンバータ
４  電子機器
５  入力端子
６  ＮＯＴゲート
７，７１，７２，７３  ダイオード
１１〜１４  並列用トランジスタ
２１，２２  直列用トランジスタ
Ｃ１，Ｃ２，Ｃ３，Ｃ４，Ｃ５  キャパシタ
Ｒ１，Ｒ２，Ｒ３，Ｒ４
３１〜３５  トランジスタ
【図１】
2016046993.tif 000003
【図２】
2016046993.tif 000004
【図３】
2016046993.tif 000005
【図４】
2016046993.tif 000006
【図５】
2016046993.tif 000007
【図６】
2016046993.tif 000008
【図７】
2016046993.tif 000009
【図８】
2016046993.tif 000010